(57)【要約】【課題】宛名部とカードに同時に印字することができ、かつ、プリンタによる印字時や封入封緘機による封入封緘時の手間やトラブルを防止することができるカードポケット付き帳票を提供する。【解決手段】台紙２の宛名部１０に、カード部２０とポケット部３０を連接し、カード部２０とポケット部３０の境界を折り兼切り取り線６で折り返し可能にする。また、カード部２０に台紙２から分離できるカード２１を設け、ポケット部３０の裏面に周縁三辺を接着したポケット３１を設け、ポケット３１の開口部３３の向きがプリンタによる搬送方向を向かないように設定した。【選択図】図４
2010208227.tif 000002
【特許請求の範囲】
【請求項１】
台紙の一部に設けられた宛名部と、台紙から分離可能に設けられたカードと、台紙に基材の周縁三辺を接着したポケットとが互いに重ならないように連接されていることを特徴とするカードポケット付き帳票。
【請求項２】
ポケットの開口部の向きがプリンタによる搬送方向を向かないように設定されていることを特徴とする請求項１に記載のカードポケット付き帳票。
【請求項３】
ポケットがカードに隣接した延長部分の裏面に設けられ、その延長部分がカードの裏側に折り返し可能に設けられていることを特徴とする請求項１又は２に記載のカードポケット付き帳票。
【請求項４】
カードが、台紙から切り取り可能に設けられ、又は台紙を切り抜いた開口部の裏面に剥離可能に擬似接着され、もしくは開口部の裏面に接着されたカード基材から切り取り可能に設けられていることを特徴とする請求項１〜３のいずれか１項に記載のカードポケット付き帳票。
【請求項５】
台紙の余白部分に、台紙から剥離してカードに貼付可能なシール部が設けられていることを特徴とする請求項１〜４のいずれか１項に記載のカードポケット付き帳票。
【発明の詳細な説明】
【技術分野】
【０００１】
本発明は、カードと台紙を一体化してプリンタで同時に印字できるようにした帳票であって、特に台紙から剥離したカードを収納するポケットを備えたカードポケット付き帳票に関する。
【背景技術】
【０００２】
従来、国民健康保険被保険者証（以下「健康保険証」という）や会員証などのカード類を利用者に送付する場合、一般にカードを台紙に剥離可能に貼り付けたカード付き帳票を作製し、そのカード付き帳票を封筒に入れて郵送している（例えば特許文献１を参照）。また、カードが汚れたり使用中に印字が擦れて消えたりするのを防ぐため、フィルム製のカードケースを封筒に同封することがある。さらに、健康保険証の裏面には臓器提供の意思を表示するドナーカードの機能が設けられており、ドナーカードの意思表示欄を隠蔽する目的で、カードに貼付する個人情報保護シールを同封することもある。
【０００３】
これらの必要書類を一度に送付する際に、通常は封入封緘機を使用するかあるいは手作業で封入封緘を行うことによって、カード付き帳票、カードケース、個人情報保護シール等を別々に封筒に入れて発送している。ところが、封入封緘機を使用する場合には、２種類以上の帳票を封入する必要があるため、他の帳票を入れるチャンネルが塞がれ、例えば説明書やチラシ等の同封物の数が制限されてしまう。また、手作業の場合、同封物が多くなると封入封緘作業が煩雑になり、同封物の入れ間違い（入れ忘れ、入れ過ぎ）が起こることもある。
【先行技術文献】
【特許文献】
【０００４】
【特許文献１】特開平５−１４７３７５号公報
【発明の概要】
【発明が解決しようとする課題】
【０００５】
本発明は上記のような問題を解決するためになされたものであり、台紙から剥離したカードを収納するポケットを備えた帳票において、特に宛名部とカードに同時に印字することができ、かつ、プリンタによる印字時や封入封緘機による封入封緘時の手間やトラブルを防止することができる使い勝手の良いカードポケット付き帳票を提供することを目的とする。
【課題を解決するための手段】
【０００６】
上記の目的を達成するため、本発明のカードポケット付き帳票は、台紙の一部に設けられた宛名部と、台紙から分離可能に設けられたカードと、台紙に基材の周縁三辺を接着したポケットとが互いに重ならないように連接されていることを特徴とする。台紙の宛名部にカードとポケットを重ならないように連接することにより、宛名部とカードに同時に印字することができる。
【０００７】
また、本発明のカードポケット付き帳票において、ポケットの開口部の向きがプリンタによる搬送方向を向かないように設定されていると、プリンタでの印字時にポケットの開口部がドラムに引っ掛かってトラブルが起こるのを防止することができる。
【０００８】
また、本発明のカードポケット付き帳票において、ポケットがカードに隣接した延長部分の裏面に設けられ、その延長部分がカードの裏側に折り返し可能に設けられていると、折り畳んだ時にポケットがカードの裏側に隠れるので、台紙の両面をフラットな状態にして封入封緘を行うことができる。
【０００９】
また、本発明のカードポケット付き帳票において、カードが、台紙から切り取り可能に設けられ、又は台紙を切り抜いた開口部の裏面に剥離可能に擬似接着され、もしくは開口部の裏面に接着されたカード基材から切り取り可能に設けられていると、更に封入封緘の作業がしやすくなる。
【００１０】
また、本発明のカードポケット付き帳票において、台紙の余白部分に、台紙から剥離してカードに貼付可能なシール部が設けられていても良い。
【発明の効果】
【００１１】
本発明によれば、台紙の宛名部にカードとポケットを一体化したカードポケット付き帳票を作製することができ、見栄えの良いカードポケットが得られると共に、プリンタでの印字や封入封緘機での封入封緘の作業をスムーズに行うことができるという効果が得られる。
【図面の簡単な説明】
【００１２】
【図１】カードポケット付き帳票を連続形態で作製した例を示す外観図。
【図２】カードポケット付き帳票を単片形態で作製した例を示す外観図。
【図３】カードポケット付き帳票を表側から見た平面図。
【図４】カードポケット付き帳票を裏側から見た平面図。
【図５】図３においてＡ−Ａ線で示すカード部の断面図。
【図６】図４においてＢ−Ｂ線で示すポケット部の断面図。
【図７】図４においてＣ−Ｃ線で示すシール部の断面図。
【図８】プリンタによる搬送方向とポケット部の向きとの関係を示す説明図。
【図９】カードポケット付き帳票の表面にポケット部を設けた例を示す平面図。
【図１０】カードポケット付き帳票に印字した状態を示す説明図。
【図１１】封筒にカードポケット付き帳票を封入封緘する時の状態を示す説明図。
【図１２】カードポケット付き帳票を折り返した時に帳票の端部が揃うようにした変形例を示す説明図。
【図１３】カードポケット付き帳票からカードを剥離する時の状態を示す説明図。
【図１４】カードポケット付き帳票からシールを剥離してカードに貼付する時の状態を示す説明図。
【図１５】カードポケット付き帳票からポケット部を切り離す時の状態を示す説明図。
【図１６】カードをポケットに収納する時の状態を示す説明図。
【図１７】カードポケット付き帳票の変形例を示す外観図。
【図１８】カード部の変形例を示す断面図。
【図１９】カード部の変形例を示す断面図。
【図２０】カード部の変形例を示す断面図。
【図２１】カード部の変形例を示す断面図。
【発明を実施するための形態】
【００１３】
以下、本発明の実施の形態について、図面を参照しながら説明する。
【００１４】
本発明のカードポケット付き帳票は、例えば健康保険証や会員証などの各種カード類を送付する帳票として利用することができる。そこで、以下の実施形態では健康保険証を被保険者に送付する例を挙げて説明するが、以下の実施形態はあくまで一例であり、本発明の用途はこれに限られない。
【００１５】
図１はカードポケット付き帳票１を連続形態で作製した例を示している。この連続形態によると、健康保険証の切替時や更新時のように、健康保険証を連続レーザプリンタで大量に一括発行する場合に便利である。帳票１を構成する台紙２は連続用紙からなり、幅方向両端に縦ミシン目からなる切り取り線３，３を介してプリンタの送り孔４，４，…が設けられている。また、連続用紙は、長手方向に等間隔で配置された横ミシン目からなる折り兼切り取り線５，５，…を介して複数の帳票１，１，…に区画され、折り兼切り取り線５を交互に折り返すことでジグザグ状に折り畳まれている。各々の帳票１には左側から宛名部１０、カード部２０、ポケット部３０、デザイン可変部４０が互いに重ならないように横一列に連接されている。
【００１６】
図２はカードポケット付き帳票１を単片形態で作製した例を示している。この単片形態によると、健康保険証の再発行時のように、窓口において健康保険証を卓上レーザプリンタで個別発行する場合に便利である。帳票１を構成する台紙２は単片用紙からなり、この単片用紙には、図１の連続用紙と同じく左側から宛名部１０、カード部２０、ポケット部３０、デザイン可変部４０が互いに重ならないように横一列に連接されている。
【００１７】
図３は一つのカードポケット付き帳票１を表側から見た状態を拡大して示している。同図において、この帳票１は下から順に宛名部１０、カード部２０、ポケット部３０、デザイン可変部４０に区画されている。
【００１８】
宛名部１０は封筒に入れた時に健康保険証の送付先を表示する部分であり、台紙２の表面に世帯主の住所・氏名と対象被保険者の氏名を表示する宛先表示欄１１が予め印刷されている。
【００１９】
カード部２０は印字後に健康保険証として使用する部分であり、台紙２から分離できるように、カード２１の輪郭がハーフカット２２によって形成されている。カード２１の表面には「国民健康保険被保険者証」なる文字や保険者番号、保険者名などの共通記載事項が予め印字されている。なお、図示しないが、カード２１の表面には事前印刷によりマイクロ文字、隠し文字、偏光画像などの偽造防止加工が施されている。
【００２０】
ポケット部３０はカード部２０に隣接した延長部分に設けられており、この延長部分をカード部２０の裏側に折り返し可能とするために、カード部２０とポケット部３０の境界にミシン目による折り兼切り取り線６が形成されている。ポケット部３０において、台紙２の表面には健康保険証の取り扱いに関する注意事項３５が予め印字されている。
【００２１】
ポケット部３０とデザイン可変部４０の境界にはミシン目による切り取り線７が形成されており、デザイン可変部４０をポケット部３０から切り離すことができるようになっている。デザイン可変部４０は、本実施形態ではカードの情報表示部として設けられており、台紙２の表面に同一世帯における被保険者に関する情報記載欄４１が予め印字されている。なお、デザイン可変部４０はカードの情報表示部以外の用途、例えば広告やカレンダー等として使用しても良く、また不要であれば設けなくても良い。
【００２２】
図４は図３のカードポケット付き帳票１を裏返した状態を示している。図４において、この帳票１は下から順に宛名部１０、カード部２０、ポケット部３０、デザイン可変部４０に区分されている。
【００２３】
宛名部１０の裏面には何も印字されていないが、必要に応じて情報を印字することもでき、例えばポケット部３０の表面にある注意事項３５をここに印字しても良い。カード部２０の裏面には、カード２１が台紙２から脱落しないように紙片２３が擬似接着されており、台紙２の余白部分にシール部５０が設けられている。シール部５０は、本実施形態では個人情報保護シールとして設けられており、剥がした後でカード部２０に貼付できるように台紙２に剥離可能に貼着されている。なお、シール部５０は台紙２の余白部分であればカード部２０以外の部分の表面や裏面に設けることができ、また不要であれば設けなくても良い。
【００２４】
ポケット部３０の裏面には、カード（健康保険証）２１が汚れたり使用中に印字が擦れて消えたりするのを防ぐため、カード２１を収納するポケット３１が設けられている。このポケット３１は、ポケット部３０全体よりもやや狭い面積の基材をその周縁三辺に塗布した接着剤層３２によって台紙２の裏面に接着し、カード２１を収納できる大きさの開口部３３を形成したものである。ポケット３１の基材としてはＰＥＴ等の樹脂フィルムが好適であり、収納したままで健康保険証の記載事項を確認できるように透明なものが好ましい。なお、デザイン可変部４０の裏面には、健康保険証の利用案内が印刷されている。
【００２５】
図５〜７はカードポケット付き帳票１の断面構造を示したものである。図５は図３にＡ−Ａ線で示したカード部２０の断面図であり、本実施形態のカード２１は台紙一体型の紙カードになっており、裏面に樹脂フィルムのラミネート加工を施すことにより耐久性を向上させてある。すなわち、台紙２の裏面には接着剤層２４によりＰＥＴ等の樹脂フィルム２５が接着され、上質紙からなる紙片２３の表面に接着剤層２６により樹脂フィルム２７が接着されており、これらの樹脂フィルム２５，２７同士が擬似接着面２８を介して剥離可能に熱圧着されている。また、カードの輪郭となるハーフカット２２は、台紙２の表面から擬似接着面２８（下層の樹脂フィルム２７の表面）まで到達する深さにカットされている。
【００２６】
図６は図４にＢ−Ｂ線で示したポケット部３０の断面図である。同図においてポケット３１は基材の周縁に塗布した接着剤層３２により台紙２に接着されており、基材と台紙２の間にはカードを収納する空間部３４が形成されている。
【００２７】
図７は図４にＣ−Ｃ線で示したシール部５０の断面図である。同図においてシール部５０はカード２１に貼付した時に記入事項が透けて見えないように、上質紙からなるシール紙片５１の表面に黒色や紺色等の濃色系インキで全面印刷や地紋等の部分印刷を施した隠蔽層５２が設けられている。また、シール紙片５１の裏面には粘着剤層５３が塗布されており、台紙２にシリコーン等の剥離剤を塗布した剥離剤層５４の上に剥離可能に貼着されている。
【００２８】
図８はプリンタの搬送方向とポケット部３０の向きとの関係を示したものである。同図に矢印で示す方向をプリンタによる帳票１の搬送方向とすると、ポケット３１の開口部３３が搬送方向と同じ方向を向かないようにポケット３１の向きを設定する必要がある。同図（ａ）のように開口部３３が搬送方向と同じ向きであると、台紙２から浮いている開口部３３の樹脂フィルムがレーザプリンタでの印字時にドラムに引っ掛かり、ジャム等のトラブルを引き起こす恐れがあるからである。したがって、ポケット３１の開口部３３の向きは、同図（ｂ）のように搬送方向と反対方向か、あるいは同図（ｃ）や（ｄ）のように搬送方向に対して直交する方向を向くように設定して引っ掛かりを防ぐのが好ましい。
【００２９】
本実施形態では、図４に示した通り、ポケット３１を台紙２の裏面の右端に寄せて左側に余白部を設け、開口部３３が搬送方向の反対を向くように、上、下、右の周縁三辺に塗布した接着剤層３２により「コ」字型に接着してある。また、ポケット３１は台紙２の表面側に設けても良い。この場合は、図９に示すようにポケット３１を台紙２の表面の左端に寄せて右側に余白部を設け、接着剤層３２の塗布パターンを１８０度反転させ、開口部３３が搬送方向の反対を向くように上、下、左の周縁三辺を接着するようにする。
【００３０】
本実施形態のカードポケット付き帳票１は以上のように構成されており、以下その使用方法を図１０〜１６に基づいて説明する。
【００３１】
健康保険証を発行する際に、まず社会保険事務局ではレーザプリンタを使ってカードポケット付き帳票１に印字を行う。具体的には、図１０に示すように宛名部１０の宛先表示欄１１に世帯主の住所・氏名と対象被保険者の氏名を印字し、カード部２０のカード２１内に交付年月日、記号、被保険者の氏名・生年月日・住所などの健康保険証に必要な事項を印字する。また、デザイン可変部４０の情報記載欄４１に同一世帯における被保険者に関する情報を印字する。
【００３２】
ここで、宛名部１０とカード部２０は同一面に設けられているので、レーザプリンタで同時に印字することができる。このため、宛先表示欄１１に印字した情報とカード２１に印字した情報のマッチングミスが起こる心配が無い。また、台紙２の裏面に設けられたポケット３１の開口部３３が搬送方向と反対を向いており（図４を参照）、印字時にポケット３１がドラムに引っ掛かることが無く、しかも宛名部１０、カード部２０、ポケット部３０及びデザイン可変部４０の各部位が独立に存在していて厚みが嵩まないので、通紙をスムーズに行うことができる。
【００３３】
次に、封入封緘機を使ってカードポケット付き帳票１を窓付きの封筒（図示略）に封入封緘して発送を行う。このとき、図１１に示すように、カード部２０とポケット部３０の境界にある折り兼切り取り線６を折り返し、ポケット部３０とデザイン可変部４０をカード部２０の裏側に折り畳む。これにより、裏面のポケット３１が折り畳んだ台紙２の内側に隠れるので、搬送時に引っ掛かりやすい部分が無くなり、封入封緘機によってスムーズに封入と封緘を行うことができる。また、宛名部１０、カード部２０、ポケット部３０及びデザイン可変部４０が一連に繋がって一体化されているため、封入封緘機で使用するチャンネルが１帳票分で済むうえに、手作業で封入と封緘を行う場合であっても封筒への入れ間違いが起こることも無い。
【００３４】
なお、折り兼切り取り線６を折り畳んだ時、図１２に示すように、台紙２の端部が揃うようにデザイン可変部４０を長めに設定しておけば、折り畳んだ後の台紙２の両面が完全にフラットな状態になるので、封入封緘機による封入封緘作業をよりスムーズに行える。
【００３５】
封入封緘された封筒には、窓部内に宛名部１０の宛先表示欄１１が表示されるので、そのまま被保険者の元に郵送することができる。そして、封筒を受け取った被保険者は、封筒を開封して、図１３に示すようにカードポケット付き帳票１からカード２１を剥がし取る。台紙２を押さえてカード２１のラウンドコーナー部を摘んで引き剥がすと、樹脂フィルム２５，２７同士の擬似接着面２８を介してカード２１が台紙２から切り取られる。台紙２の裏面の紙片２３は、周縁部が台紙２に貼り付いて残された状態になる。
【００３６】
こうして剥がし取ったカード２１は健康保険証として使用するが、図１４に示すようにカード２１の裏面はドナーカードになっており、臓器提供の意思表示欄２９が設けられている。この意思表示欄２９には、被保険者が移植の際に臓器を提供する意思があるかどうかや移植の際に提供する意思のある臓器に丸印を付け、住所、自筆署名、署名年月日を記入する。次に、カード部２０の裏面に設けられたシール部（個人情報保護シール）５０を剥がし取ると、シール部５０は粘着剤層５３と剥離剤層５４の境界面で剥離される。そして、シール部５０をカード２１の裏面に貼り付けることにより、意思表示欄２９がシール部５０で隠蔽され、意思表示欄２９に記入した個人情報が保護される。
【００３７】
カード２１を剥がし取った後のカードポケット付き帳票１は、カードポケットとして使用される。すなわち、図１５に示すように、折り兼切り取り線６を切断すると、ポケット部３０とデザイン可変部４０がカード部２０から切り離される。また、その下の切り取り線７を切断すると、更にデザイン可変部４０がポケット部３０から切り離される。宛名部１０、カード部２０、ポケット部３０、デザイン可変部４０の各部位は独立に存在しているため、カードポケットの上に宛名を印字しなければならなくなったり、カードポケットの裏に宛名やカードを剥がした後の接着剤層等が存在することがないので、見栄えが良くかつ使い勝手の良いカードポケットを作製できる。なお、切り離したデザイン可変部４０は被保険者の控えとして保管することができる。
【００３８】
また、ポケット部３０をカードポケットとして使用する際には、図１６に示すようにカード２１をポケット３１の開口部３３から挿入して空間部３４に収納する。このとき、カードポケットには余白部が設けられているのでカード２１を容易に出し入れすることができる。これにより、カード２１を収納したポケット３１を財布などに入れて持ち歩けば、カード（健康保険証）２１がむき出しにならないので、汚れたり使用中に印字が擦れて消えたりするのを防ぐことができる。また、ポケット３１は透明な樹脂フィルムで構成されているので、カード２１をポケット３１に収納したままで健康保険証の記載事項を確認することができる。
【００３９】
以上、本実施形態のカードポケット付き帳票１について説明したが、以下のような形態を採用することも可能である。
【００４０】
例えば、図１７に示すカードポケット付き帳票１は、ポケット部３０とデザイン可変部４０の位置を宛名部１０とカード部２０の下に延長させて配置したものである。ポケット部３０とデザイン可変部４０を合わせた紙片の幅は宛名部１０とカード部２０を合わせた紙片の幅と等しく設定されており、両者の間にミシン目による折り兼切り取り線６が形成されている。また、ポケット部３０において、台紙２の裏面には折り兼切り取り線６の方に寄せたポケット３１が設けられ、その開口部３３が台紙２の外側を向くように設定されている。
【００４１】
このような構造によると、中央の折り兼切り取り線６を折り畳んだ時にポケット３１が台紙２の内側に隠れ、しかも台紙２の端部が揃うので、特に封入封緘機による封入封緘作業を非常にスムーズに行うことができる。
【００４２】
また、台紙一体型のカード部２０に代えて、図１８に示すような台紙別体型のカード部６０を設けても良い。このカード部６０によると、台紙２の一部にカード規定サイズよりも一回り小さなサイズに切り抜いた開口部６２が形成されており、台紙２の裏面には開口部６２の周縁に沿って粘着剤層６３が塗布されている。また、台紙２の裏面には、カード規定サイズよりも一回り大きなサイズのカード基材６４が、その周縁に沿って塗布された剥離剤層６５を介して剥離可能に擬似接着されている。さらに、カード基材６４の裏面から台紙２の裏面まで到達する深さのハーフカット６６が形成され、これによりカード６１の輪郭が形成されている。
【００４３】
このような構造によると、開口部６２から覗いているカード６１を両面から挟みながら剥がすことができ、台紙２からカード６１を分離する作業が簡単に行える。また、台紙２と別体のカード部６０を設けることにより、カード基材６４の素材にＰＥＴ等の樹脂シートを使用すれば耐久性に優れた樹脂カードにすることができる。さらに、カード部６０が台紙２に対して一段凹んだ状態で固定されているので、台紙２の表面がフラットな状態のものと同様に、封入封緘機による封入や封緘の作業がしやすくなる。
【００４４】
また、図１９や図２０に示すような台紙別体型のカード部７０を設けても良い。図１９のカード部７０では、台紙２の一部にカード規定サイズよりも一回り大きなサイズに切り抜いた開口部７２が形成されており、台紙２の裏面には開口部７２の周縁に沿って接着剤層７３が塗布され、接着剤層７３によりカード基材７４が接着されている。また、カード基材７４の裏面にはラベル基材７６と粘着剤層７７からなるラベル紙がカード基材７４を被覆して台紙２に貼り合わされていて、カード基材７４の裏面に塗布した剥離剤層７５とラベル紙の粘着剤層７７が剥離可能に擬似接着されている。さらに、カード基材７４の表面から擬似接着面まで到達する深さのハーフカット７８が形成され、これによりカード７１が型抜きされている。
【００４５】
このような構造によっても、カード部７０が台紙２に対して一段凹んだ状態で固定されるので、図１８で説明したカード部６０と同様な効果が得られる。なお、図１９のカード部７０ではカード基材７４の裏面に剥離剤層７５をカード７１の形成領域全体にわたって塗布してあるが、粘着剤層７７の粘着力を弱く調整することにより、カード基材７４の裏面の一部分（例えばハーフカット７８の周縁部）に限定して剥離剤層７５を塗布することや、図２０に示すように剥離剤層７５をまったく塗布しないことも可能である。
【００４６】
さらに、カード基材７４の裏面を覆うラベル紙を台紙２に貼り合わせるのではなく、図２１に示すように、カード基材７４よりも面積の狭いラベル紙をカード基材７４の裏面に貼り合わせてカード７１を保持するようにしても良い。このような構造によると、図１９や図２０のものに比べてラベル紙の面積が狭くなるので材料コストを節約することができる。また、この場合においても粘着剤層７７の粘着力を調整することで、カード基材７４の裏面の剥離剤層７５を部分的に塗布したり塗布しないこともできる。
【符号の説明】
【００４７】
１  カードポケット付き帳票
２  台紙
３  切り取り線
４  送り孔
５  折り兼切り取り線
６  折り兼切り取り線
７  切り取り線
１０  宛名部
１１  宛先表示欄
２０  カード部
２１  カード
２２  ハーフカット
２３  紙片
２４  接着剤層
２５  樹脂フィルム
２６  接着剤層
２７  樹脂フィルム
２８  擬似接着面
２９  意思表示欄
３０  ポケット部
３１  ポケット
３２  接着剤層
３３  開口部
３４  空間部
３５  注意事項
４０  デザイン可変部
４１  情報記載欄
５０  シール部
５１  シール紙片
５２  隠蔽層
５３  粘着剤層
５４  剥離剤層
６０  カード部
６１  カード
６２  開口部
６３  粘着剤層
６４  カード基材
６５  剥離剤層
６６  ハーフカット
７０  カード部
７１  カード
７２  開口部
７３  接着剤層
７４  カード基材
７５  剥離剤層
７６  ラベル基材
７７  粘着剤層
７８  ハーフカット
【図１】
2010208227.tif 000003
【図２】
2010208227.tif 000004
【図３】
2010208227.tif 000005
【図４】
2010208227.tif 000006
【図５】
2010208227.tif 000007
【図６】
2010208227.tif 000008
【図７】
2010208227.tif 000009
【図８】
2010208227.tif 000010
【図９】
2010208227.tif 000011
【図１０】
2010208227.tif 000012
【図１１】
2010208227.tif 000013
【図１２】
2010208227.tif 000014
【図１３】
2010208227.tif 000015
【図１４】
2010208227.tif 000016
【図１５】
2010208227.tif 000017
【図１６】
2010208227.tif 000018
【図１７】
2010208227.tif 000019
【図１８】
2010208227.tif 000020
【図１９】
2010208227.tif 000021
【図２０】
2010208227.tif 000022
【図２１】
2010208227.tif 000023